(57)【要約】【課題】表示装置を構成する複数の表示ユニットの保守作業を背面から容易にする。【解決手段】平行に配置され取付ねじ孔４１を有する梁状部材４０に直交して取り付けられ、複数の取付ねじ孔３１が形成された隣接する１組の連結金具３０に複数の表示ユニット２０Ａ〜２０Ｃを取り付けて表示装置１０を得る。表示ユニット２０Ａ〜２０Ｃは、四隅に取付ねじ２１が形成され、この取付ねじ２１を梁状部材４０の取付ねじ孔４１および連結金具３０の取付ねじ孔３１に挿通させて締め付け固定する。【選択図】図２
2005037805.tif 000002
【特許請求の範囲】
【請求項１】
複数の表示ユニットを縦および横方向にマトリクス状に配列して形成される表示装置において、
前記表示ユニットは、平行して一定間隔で配置された複数の梁状部材間に直交して該梁状部材の背面から一定間隔で取り付けられる複数の連結金具に取り付けられることを特徴とする表示装置。
【請求項２】
前記隣接する連結金具間には、複数の前記表示ユニットが取り付けられることを特徴とする請求項１に記載の表示装置。
【請求項３】
前記隣接する連結金具間に取り付けられる前記複数の表示ユニットは、前記梁状部材と平行に配置されることを特徴とする請求項１又は２に記載の表示装置。
【請求項４】
前記各表示ユニットは、四隅にねじ等の取付手段を有する略矩形状であり、両端の表示ユニットの前記取付手段の一部は、前記梁状部材に取り付けられることを特徴とする請求項１、２又は３に記載の表示装置。
【請求項５】
前記梁状部材は、横方向に配置されることを特徴とする請求項１乃至４の何れかに記載の表示装置。
【請求項６】
前記梁状部材は、縦方向に配置されることを特徴とする請求項１乃至４の何れかに記載の表示装置。
【請求項７】
前記連結金具の前記梁状部材への取り付けは、前記表示ユニットの取付手段の少なくとも１部を使用して行うことを特徴とする請求項１乃至６の何れかに記載の表示装置。
【発明の詳細な説明】
【技術分野】
【０００１】
本発明は表示装置に関し、特にマトリクス状に配置された多数のＬＥＤ（発光ダイオード）等の表示ユニットを使用して文字や図形を表示する比較的大型のパネル状の表示装置に関する。
【０００２】
パーソナルコンピュータ（ＰＣ）その他の電子機器又は電子応用機器のマン‐マシーンインタフェース手段又はこれらの機器の出力手段或は図形表示装置として、表示パネルは広く使用されている。屋外に配置して、宣伝広告の目的等で使用される大型の表示装置も実用化されている。液晶表示パネル（ＬＣＤ）に比較して、ＬＥＤを使用する表示装置は、各表示素子が自ら発光するので、高い表示輝度が得られると共に広い表示角度を有するという特徴を有する。
【０００３】
斯かる多数のＬＥＤを使用する表示装置の従来技術は、種々の文献に開示されている。例えば、多数のＬＥＤを含む表示ユニット（又は表示モジュール）を設け、更に斯かる表示ユニットを複数個配列して一層大型の表示装置を得るＬＥＤ表示盤が開示されている（例えば、特許文献１参照。）。
【０００４】
図３は、従来のＬＥＤ表示盤又は表示装置の構成を示す分解斜視図である。斯かる従来のＬＥＤ表示装置１００は、マトリクス状に配置される複数の表示モジュールよりなる表示ユニット１１０、表示ユニット１１０の裏面に配置されて各表示ユニット１１０を所定位置に取り付ける取付プレート１２０およびこの取付プレート１２０に取り付けられた複数の表示ユニット１１０の前面に配置される保護プレート１３０により構成される。
【０００５】
表示ユニット１１０の各表示モジュール１１１には、例えば四隅に取付ねじ１１２が設けられている。また、取付プレート１２０には、略矩形状の開口（又は配線穴）１２１およびその四隅に形成されたねじ孔１２２を有する。表示モジュール１１１は、その取付ねじ１１２を取付パネル１２０のねじ孔１２２に挿入してボルト（図示せず）等により締付固定される。また、各表示モジュール１１１には、開口１２１を介して配線コネクタ（図示せず）により配線する。保護プレート１３０は、光透過性のプレートであって、表示ユニット１１０の前面を保護する。
【０００６】
【特許文献１】実開平４−９９８５号公報（第４−６頁、第２図）
【０００７】
斯かる多数の表示モジュールを使用する表示装置にあっては、何らかの原因で一部の表示モジュールが破損し、交換又は修理（以下、単に保守という）をする必要が生じる。しかし、上述の如き従来技術では、保守作業が困難である。即ち、斯かる表示装置の表示ユニットを構成する表示モジュールの保守には、保護プレート１３０を取り外し、更に保守対象の表示モジュール１１１の取付ねじを取り外して取付パネル１２０から取り外す必要がある。従って、大型表示装置の場合には、前面側および背面側に保守作業員を必要とするのが一般的である。また、前面の保護パネルを取り外すか開閉自在の構造とする必要があり、構造が複雑且つ時間を要するという課題乃至欠点があった。
【発明の開示】
【発明が解決しようとする課題】
【０００８】
解決しようとする問題点は、保守作業を容易且つ迅速に行うことが可能な表示装置を提供することである。
【課題を解決するための手段】
【０００９】
前述の課題を解決するため、本発明は次のような特徴的な構成を採用する表示装置である。
【００１０】
（１）複数の表示ユニットを縦および横方向にマトリクス状に配列して形成される表示装置において、
前記表示ユニットは、平行して一定間隔で配置された複数の梁状部材間に直交して該梁状部材の背面から一定間隔で取り付けられる複数の連結金具に取り付けられる表示装置。
【００１１】
（２）前記隣接する連結金具間には、複数の前記表示ユニットが取り付けられる上記（１）の表示装置。
【００１２】
（３）前記隣接する連結金具間に取り付けられる前記複数の表示ユニットは、前記梁状部材と平行に配置される上記（１）又は（２）の表示装置。
【００１３】
（４）前記各表示ユニットは、四隅にねじ等の取付手段を有する略矩形状であり、両端の表示ユニットの前記取付手段の一部は、前記梁状部材に取り付けられる上記（１）、（２）又は（３）の表示装置。
【００１４】
（５）前記梁状部材は、横方向に配置される上記（１）乃至（４）の何れかの表示装置。
【００１５】
（６）前記梁状部材は、縦方向に配置される上記（１）乃至（４）の何れかの表示装置。
【００１６】
（７）前記連結金具の前記梁状部材への取り付けは、前記表示ユニットの取付手段の少なくとも１部を使用して行う上記（１）乃至（６）の何れかの表示装置。
【発明の効果】
【００１７】
本発明の表示装置によると、次の如き実用上の顕著な効果が得られる。即ち、連結金具を使用して表示ユニットを取り外し可能に取り付けられるので、表示装置の背面から表示ユニットの保守作業を容易且つ効率的に行うことが可能である。また、多数の表示ユニットを最小間隙で高密度且つ十分な強度で組立可能である。
【実施例１】
【００１８】
以下、本発明による表示装置の好適実施形態の構成および動作を、添付図面を参照して詳細に説明する。
【００１９】
先ず、図１は、本発明による表示装置１０の一部分を示す図であって、左側はその背面図、右側は側面図である。この表示装置１０は、マトリクス状に配置される複数の表示ユニット（又は表示モジュール）２０、１個以上の表示ユニット２０を連結固定する複数の連結金具３０および斯かる連結金具３０を一定間隔で固定する梁状部材であるアングル４０により構成される。
【００２０】
表示装置１０の各表示ユニット１０は、略矩形状であり、四隅に取付手段である取付ねじ２１および配線用コネクタ２２を有する。アングル４０は、例えば水平方向に一定間隔で配置されている。また、アングル４０には、連結金具３０の取付位置に対応して複数の取付ねじ孔４１が形成されている。
【００２１】
図１に示す好適実施形態では、アングル４０は横（又は水平）方向に配置され、隣接する連結金具３０間に３個の表示ユニット１０が取り付けられる構成である。即ち、隣接する１組の連結金具３０間には、上表示ユニット２０Ａ、中表示ユニット２０Ｂおよび下表示ユニット２０Ｃが取り付けられている。尚、隣接する連結金具３０間に取り付けられる表示ユニット１０の個数には、特に制限はないが、後述する保守作業の利便性（即ち、特定の表示ユニットの交換作業）を考慮すると、２〜５個程度の比較的少数であるのが好ましい。
【００２２】
図２は、図１に示すに表示装置１０の一部分から、隣接する１組の連結金具３０を取り外した状態を示す。また、図２の上側には、取り外された１組の連結金具３０と１個の中表示ユニット２０Ｂが示されている。図２に最もよく示す如く、各連結金具３０には、両端にアングル４０への取付用の２個および中央部の左右に表示ユニット取付用の４個ずつの合計１０個の取付ねじ孔３１が形成されている。
【００２３】
上述した構成により、本発明の好適実施形態の表示装置１０では、上表示ユニット２０Ａの上側の取付ねじ２１は、上側のアングル４０に形成された取付ねじ孔４１に挿通され、それぞれボルト（図示せず）により締め付け固定される。この際に、上表示ユニット２０Ａの上側の２個の取付ねじ２１のうち右側の取付ねじ２１は、アングル４０の取付ねじ孔４１と共に右側の連結金具３０の上端に形成された取付ねじ孔３１にも挿通され、ボルトにより一体的に締め付け固定される。
【００２４】
同様に、下側の表示ユニット２０Ｃについても、その下側の取付ねじ２１は、下側のアングル４０の取付ねじ孔４１に挿通され、右側の取付ねじ２１は、右側の連結金具３０の下端の取付ねじ孔３１にも挿通されてボルトで一体的に締め付け固定される。一方、上表示ユニット２０Ａの下側の取付ねじ２１および下表示ユニット２０Ｃの上側の取付ねじ２１は、中表示ユニット２０Ｂの上下両取付ねじと共に隣接する１組の連結金具３０の取付ねじ孔３１に挿通されて締め付け固定される。一方、隣接する１組の連結金具３０のうち左側の連結金具３０の両端の取付ねじ孔３１には、隣接する１組の連結金具３０間に取り付けられる３個の表示ユニット２０Ａ〜２０Ｃの左側に取り付けられる表示ユニット２０のうちの上下表示ユニット２０Ａ´および２０Ｃ´の取付ねじ２１に挿通され一体的に締め付け固定される。
【００２５】
上述の如く、連結金具３０のアングル４０への取り付けに、表示ユニット２０の取付ねじ２１を使用することにより、付加的な取付手段を使用する必要がなく、複数の表示ユニット２０を相互に間隙なく隣接して配置することが可能である。また、隣接する２本のアングル４０間は、連結金具３０のみでなく、アングル４０、連結金具３０および表示ユニット２０の３者にて連結される。更に、隣接する１組の連結金具３０間の表示ユニット２０Ａ〜２０Ｃのみならず、これらの隣の表示ユニット２０Ａ´〜２０Ｃ´とも、連結金具３０およびアングル４０を介して連結されるので、一層強固に多数の表示ユニット２０間が連結された表示装置１０を得ることが可能である。
【００２６】
次に、図２を参照して、保守のために特定の表示ユニット３０を取り外す又は交換する保守作業について説明する。図２に示す如く、交換したい表示ユニットの両側の連結金具３０の、それぞれ８個のボルトを表示装置１０の背面から取り除くと、中表示ユニット２０Ｂの両端に締め付けられた１組の連結金具３０を取り外すことが可能である。そして、表示ユニット２０Ａ又は２０Ｃが、交換対象であれは、これをアングル４０から容易に取り外して他の表示ユニットと交換可能である。一方、表示ユニット２０Ｂが交換対象である場合には、この表示ユニット２０Ｂと両端の連結金具３０のボルトを取り外して交換することが可能である。
【００２７】
上述のようにして保守のために取り外された３個の表示ユニット２０Ａ〜２０Ｃおよびそれらに関連する１組の連結金具３０は、上述と逆の手順でアングル４０に組み立てられ、表示装置１０を再組立又は完成することが可能である。この保守作業は、表示装置１０の背面のみから、１人の保守作業者により容易に行うことが可能である。
【００２８】
尚、上述の好適実施形態では、アングル４０を横（又は水平）方向に一定間隔で配置しているが、本発明はこれに限定されず、例えばアングル４０を縦（又は垂直）方向に一定間隔で配置してもよい。その場合に、連結金具３０は、横方向に一定間隔で配置される。そして、複数の表示ユニット２０は隣接する上下の連結金具間に縦方向に配置されることとなる。
【００２９】
更に、上述した好適実施形態では、隣接する１組の連結金具間に３個の表示ユニットが取り付けられているが、２個又は４個以上の表示ユニットを取り付けてもよい。保守作業性および連結金具の強度等を考慮して、連結金具間に取り付けられる表示ユニットの個数を適時選定するのが好ましい。
【００３０】
以上、本発明による表示装置の好適実施形態の構成および動作を詳述した。しかし、斯かる実施形態は、本発明の単なる例示に過ぎず、本発明の要旨を変更することなく、特定用途に応じて適宜変形変更が可能であること、当業者には容易に理解できよう。
【図面の簡単な説明】
【００３１】
【図１】本発明による表示装置の好適実施形態の組立状態の一部分を示す背面図と側面図である。
【図２】図１に示す表示装置の保守作業の説明図であり、一部の表示ユニットおよび連結金具を取り外した背面図と取り外された表示ユニットおよび連結金具を示す図である。
【図３】従来の表示装置の分解斜視図である。
【符号の説明】
【００３２】
１０  表示装置
２０  表示ユニット
２１  取付手段（取付ねじ）
３０  連結金具
３１  取付ねじ孔
４０  梁状部材（アングル）
４１  取付ねじ孔
【図１】
2005037805.tif 000003
【図２】
2005037805.tif 000004
【図３】
2005037805.tif 000005